(57)【要約】      （修正有）【課題】エレベータの保守管理に関する情報を効率よく得ることが可能になるエレベータ伝送システムを提供する。【解決手段】制御基板１，２，３に電源が供給されると、制御基板１は、制御基板２，３のＩＣタグのメモリに記憶されるデータの出力要求を示す制御信号を伝送路４を介して制御基板２，３に出力する。制御基板２，３では、制御基板１からの制御信号を入力すると、メモリに記憶されているデータを読み出して、これを通信インタフェースおよび伝送路４を介して制御基板１に出力する。制御基板１は、制御基板２から入力したデータ、および、制御基板３から入力したデータをメモリに書き込む。近距離無線通信機能を有する通信ユニットを制御基板１のＩＣタグに近接させると、メモリに記憶されたデータがＩＣタグから通信ユニットに送信されて、これが端末装置のモニタに表示される。【選択図】図１
2006256829.tif 000002
【特許請求の範囲】
【請求項１】
第１のエレベータ制御装置、および、少なくとも１つの第２のエレベータ制御装置が伝送路を介して接続されるシステムであって、
前記第１のエレベータ制御装置は、
この装置の保守管理情報を記憶する記憶手段と、
前記第２のエレベータ制御装置に対し、情報の送信要求を行なう要求手段と、
前記要求手段による送信要求に応答して前記第２のエレベータ制御装置により送信された情報を受信する情報受信手段と、
前記情報受信手段が受信した情報および前記記憶手段に記憶される情報を、近距離無線通信により外部機器に送信する手段と
を備え、
前記第２のエレベータ制御装置は、
この装置の保守管理情報を記憶する記憶手段と、
前記第１のエレベータ制御装置の要求手段による送信要求にしたがって、前記記憶手段に記憶された情報を前記第１のエレベータ制御装置に送信する送信手段と
を備えたことを特徴とするエレベータ伝送システム。
【請求項２】
前記第１および第２のエレベータ制御装置の記憶手段は、当該エレベータ制御装置が設けられる建物の保守管理情報をさらに記憶することを特徴とする請求項１に記載のエレベータ伝送システム。
【請求項３】
前記第１のエレベータ制御装置の要求手段は、
当該制御装置の電源投入時に前記送信要求を行なう
ことを特徴とする請求項１に記載のエレベータ伝送システム。
【請求項４】
前記第１および第２のエレベータ制御装置は、
外部機器から近距離無線通信により送信された情報を前記記憶手段に書き込む手段をさらに備えた
ことを特徴とする請求項１に記載のエレベータ伝送システム。
【請求項５】
前記第２のエレベータ制御装置は、
前記送信手段による動作のオンオフを切り替えるスイッチ手段をさらに備えた
ことを特徴とする請求項１に記載のエレベータ伝送システム。
【請求項６】
エレベータ制御装置が伝送路を介して複数台接続されるシステムであって、
前記エレベータ制御装置は、
この制御装置の保守管理に関する情報を記憶する記憶手段と、
外部装置からの近距離無線通信による要求にしたがって、前記伝送路を介して接続された他のエレベータ制御装置に対し、当該制御装置の前記記憶手段に記憶される情報の送信要求を行なう要求手段と、
前記伝送路を介して接続された他のエレベータ制御装置の前記要求手段による送信要求にしたがって、前記記憶手段に記憶された情報を、前記送信要求元のエレベータ制御装置に送信する情報送信手段と、
前記他のエレベータ制御装置の情報送信手段により送信された情報を受信する情報受信手段と、
この情報受信手段により受信した情報、および、前記記憶手段に記憶された情報を近距離無線通信により前記外部装置に送信する手段と
を備えたことを特徴とするエレベータ伝送システム。
【請求項７】
前記外部装置は、前記エレベータ制御装置に対する要求時に、前記伝送路を介して接続された他のエレベータ制御装置のうち、前記要求手段による送信要求先の装置を指定し、
前記エレベータ制御装置の要求手段は、
前記外部装置により指定された制御装置に対して前記送信要求を行なう
ことを特徴とする請求項６に記載のエレベータ伝送システム。
【発明の詳細な説明】
【技術分野】
【０００１】
本発明は、エレベータの保守管理に関する情報の伝送を行なうエレベータ伝送システムに関する。
【背景技術】
【０００２】
エレベータでは、オペレーション制御基板、巻上げ機の制御基板、乗り場や乗りかごの表示装置の制御基板や監視装置の制御基板等、複数種類の制御基板がエレベータ内に組み込まれている。
【０００３】
エレベータの性能維持のためには、保守管理に関する各種の情報を把握することが重要である。保守管理に関する各種の情報とは、例えば、制御基板の製造時期、および、当該制御基板による制御対象の機器に関する動作試験の結果など、多岐にわたる。
【０００４】
また、制御基板の構成は、例えば、表示装置の意匠の変更時に伴う外形やコネクタの変更、実装部品の耐用年数の経過による交換、および、品質向上のためのスペック変更などによる実装部品の交換などによって更新されるものであり、この更新内容や時期の情報を管理することも必要である。
【０００５】
前述した保守管理に関する情報を管理する手法として、例えば特許文献１に開示されたように、保守管理に関する情報のデータベースを設けて、当該データベース内を検索することで情報を得る手法がある。
【特許文献１】特開２０００−１７２７１３号公報
【発明の開示】
【発明が解決しようとする課題】
【０００６】
前述した、データベースを用いる手法では、情報を得る、または情報を更新するために、ネットワークを介して接続した端末装置を操作する必要がある。
【０００７】
他の手法として、保守管理に関する情報を制御基板ごとにバーコード化して、このバーコードを印刷したラベルを該当する制御基板に取り付け、このラベルに印刷されたバーコードを専用の読取機で読み取る手法がある。この手法では、端末装置による入力作業を必要としないが、それぞれのラベルに印刷された情報を読み取る作業を行なうには多くの時間を必要とするので、エレベータのメンテナンスの効率が良くなかった。
【０００８】
そこで、本発明の目的は、エレベータの保守管理に関する情報を効率よく得ることが可能になるエレベータ伝送システムを提供することにある。
【課題を解決するための手段】
【０００９】
すなわち、本発明に係わるエレベータ伝送システムは、第１のエレベータ制御装置、および、少なくとも１つの第２のエレベータ制御装置が伝送路を介して接続されるシステムであって、第１のエレベータ制御装置は、この装置の保守管理情報を記憶する記憶手段を備え、第２のエレベータ制御装置に対し、情報の送信要求を行ない、この送信要求に応答して第２のエレベータ制御装置により送信された情報を受信し、この受信した情報および記憶手段に記憶される情報を、近距離無線通信により外部機器に送信し、第２のエレベータ制御装置は、この装置の保守管理情報を記憶する記憶手段を備え、第１のエレベータ制御装置による送信要求にしたがって、記憶手段に記憶された情報を第１のエレベータ制御装置に送信することを特徴とする。
【発明の効果】
【００１０】
本発明に係わるエレベータ伝送システムでは、第１のエレベータ制御装置、および、少なくとも１つの第２のエレベータ制御装置が伝送路を介して接続されるシステムにおいて、第１のエレベータ制御装置は、この装置の保守管理情報を記憶する記憶手段を備え、第２のエレベータ制御装置に対し、情報の送信要求を行ない、この送信要求に応答して第２のエレベータ制御装置により送信された情報を受信し、この受信した情報および記憶手段に記憶される情報を、近距離無線通信により外部機器に送信し、第２のエレベータ制御装置は、この装置の保守管理情報を記憶する記憶手段を備え、第１のエレベータ制御装置による送信要求にしたがって、記憶手段に記憶された情報を第１のエレベータ制御装置に送信するので、エレベータの保守管理に関する情報を効率よく得ることができる。
【発明を実施するための最良の形態】
【００１１】
以下図面により本発明の実施形態について説明する。  
（第１の実施形態）
まず、本発明の第１の実施形態について説明する。  
図１は、本発明の第１の実施形態にしたがったエレベータ伝送システムの構成例を示すブロック図である。  
図１に示すように、本発明の第１の実施形態にしたがったエレベータ伝送システムは、制御基板１，２，３を備える。制御基板１，２，３は伝送線４により接続され、互いに信号の送受信ができる構成となっている。
【００１２】
制御基板１は、乗りかご（図示せず）に設置され、かごドア、および、かごインジケータなどを制御するための基板である。制御基板２，３は、各階床の乗り場（図示せず）にそれぞれ設置され、設置先の乗り場のホールドア、および、ホールインジケータなどを制御するための基板である。
【００１３】
また、図示はしないが、制御基板１，２，３による制御対象機器以外の機器を制御するための制御基板を、伝送線４を介して制御基板１，２，３と接続することができる。以下、伝送線４を介して接続される制御基板は制御基板１，２，３のみであるとして説明する。
【００１４】
図２は、本発明の第１の実施形態にしたがったエレベータ伝送システムの制御基板１の内部回路の構成例を示すブロック図である。制御基板２，３の内部回路の構成は制御基板１の内部回路の構成と同じである。  
図２に示すように、制御基板１は伝送制御部１１を備える。伝送制御部１１は、通信インタフェース１２を介して伝送線４と接続される。
【００１５】
制御基板１は、ＣＰＵ１３およびＩＣタグ１４を備える。伝送制御部１１はＣＰＵ１３と接続される。また、制御基板１は、電源ユニット１８を備える。電源ユニット１８は、電源スイッチ１９と接続される。電源スイッチ１９が操作されると、電源ユニット１８は、電源を制御基板１内の各ユニットに供給する。
【００１６】
ＩＣタグ１４は、メモリ１５、ＲＦ回路１６、および、アンテナ１７を備える。メモリ１５は不揮発性メモリである。メモリ１５はＣＰＵ１３およびＲＦ回路１６と接続され、ＲＦ回路１６はアンテナ１７およびＣＰＵ１３と接続される。
【００１７】
ＣＰＵ１３は、制御基板１全体の制御を司る。ＣＰＵ１３は、図示しない作業用メモリを内蔵する。メモリ１５は、制御基板１の制御対象の機器、つまり乗りかごなどの保守管理に関する各種データを記憶する。また、制御基板２，３が備えるメモリ１５は、当該制御基板が設置される乗り場の各機器の保守管理に関する各種データを記憶する。
【００１８】
伝送制御部１１は、伝送路４と接続される他の制御基板との間でデータの入出力を行なう。ＲＦ回路１６は、メモリ１５からの信号またはアンテナ１７からの信号に対する周波数変換を行なう。
【００１９】
ＩＣタグ１４は、外部の端末装置２１と接続される通信ユニット２２との間で、近距離無線通信によりデータの送受信を行なう。端末装置２１では、動作モードを、ＩＣタグ１４のメモリ１５に記憶されたデータを読み取るための読み取りモード、および、端末装置２１内の図示しないメモリに記憶されたデータをＩＣタグ１４のメモリ１５に書き込むための書き込みモードのいずれかに設定する。この動作モードは、端末装置２１の図示しない入力部に対する操作を行なうことで設定する。
【００２０】
図３は、本発明の第１の実施形態にしたがったエレベータ伝送システムの制御基板１のメモリ１５に記憶される各種データの構成の一例を表形式で示す図である。  
制御基板１のメモリ１５には、当該制御基板１の制御対象の機器の保守管理に関するデータ、および、当該制御基板１が設置される建物の保守管理に関するデータが記憶される。制御基板１の制御対象の機器の保守管理に関するデータは、制御基板１自体の保守管理に関するデータを含む。
【００２１】
制御基板１の制御対象の機器の保守管理に関するデータは、図３に示すように、当該機器に付与された制御機器ナンバー、基板名称、製造年月日、製造ロット、およびファンクションデータなどから構成される。ファンクションデータとは、制御対象の機器の動作試験などの点検結果を示すデータである。
【００２２】
また、制御基板２のメモリ１５には、当該制御基板２の制御対象の機器の保守管理に関するデータ、および、当該制御基板２が設置される建物の保守管理に関するデータが記憶される。制御基板３のメモリ１５には、当該制御基板３の制御対象の機器の保守管理に関するデータ、および、当該制御基板３が設置される建物の保守管理に関するデータが記憶される。
【００２３】
また、制御基板１が設置される建物に関するデータは、図３に示すように、建物に付与された管理用番号である製品番号、および、稼動情報などでなる。
【００２４】
メモリ１５には、端末装置２１からのデータを、当該制御基板１の制御対象の機器の保守管理に関するデータ、または、当該制御基板１が設置される建物の保守管理に関するデータとして書き込むことが出来る。具体的には、端末装置２１の動作モードを、前述した書き込みモードに設定している状態で、通信ユニット２２は、端末装置２１からのデータを、近距離無線通信により制御基板１のＩＣタグ１４に送信する。ＩＣタグ１４は、通信ユニット２２からのデータをアンテナ１７により受信し、これをＲＦ回路１６を介してメモリ１５に書き込む。
【００２５】
次に、本発明の第１の実施形態にしたがったエレベータ伝送システムの処理動作について説明する。  
このエレベータ伝送システムでは、伝送線４に接続された制御基板２，３のメモリ１５に記憶されたデータを制御基板１に出力して、このデータを近距離無線通信により端末装置２１に送信することができる。
【００２６】
まず、制御基板１，２，３に電源が供給されると、制御基板１のＣＰＵ１３は伝送制御部１１に制御信号を出力する。伝送制御部１１は、ＣＰＵ１３からの制御信号を入力すると、通信インタフェース１２および伝送路４を介して、制御基板２，３のメモリ１５に記憶されるデータの出力要求を示す制御信号を、制御基板２，３に出力する。
【００２７】
制御基板２による処理の説明に移る。制御基板２の伝送制御部１１は、制御基板１からの制御信号を通信インタフェース１２を介して入力すると、これを制御基板２のＣＰＵ１３に出力する。制御基板２のＣＰＵ１３は、当該制御基板２の伝送制御部１１からの制御信号を入力すると、制御基板２のメモリ１５に記憶されているデータ、つまり、当該制御基板２の制御対象の機器の保守管理に関するデータ、および、当該制御基板２が設置される建物の保守管理に関するデータを読み出して、これを伝送制御部１１に出力する。
【００２８】
制御基板２の伝送制御部１１は、制御基板２のＣＰＵ１３からのデータを入力すると、これを、制御基板２の識別アドレスと関連付けて通信インタフェース１２および伝送路４を介して制御基板１に出力する。
【００２９】
制御基板３による処理について説明する。制御基板３では、制御基板１からの制御信号を入力すると、制御基板２が制御基板１からの制御信号を入力した場合と同様に、制御基板３のメモリ１５からデータを読み出して、これを制御基板３の識別アドレスと関連付けて制御基板１に出力する。
【００３０】
制御基板１による処理の説明に戻る。制御基板１の伝送制御部１１は、制御基板２からのデータを通信インタフェース１２を介して入力すると、これをＣＰＵ１３に出力する。また、制御基板１の伝送制御部１１は、制御基板３からのデータを入力すると、制御基板２からのデータを入力した場合と同様に、これをＣＰＵ１３に出力する。ＣＰＵ１３は、伝送制御部１１からのデータを、当該アドレスと関連付けられる識別アドレスごとに分類してメモリ１５に書き込む。
【００３１】
制御基板１のＩＣタグ１４のメモリ１５に、制御基板２からのデータおよび制御基板３からのデータが書き込まれると、制御基板１のメモリ１５には、当該制御基板１の制御対象の機器の保守管理に関するデータ、および、当該制御基板１が設置される建物の保守管理に関するデータに加え、制御基板２のメモリ１５に記憶されていたデータ、および、制御基板３のメモリ１５に記憶されていたデータが記憶されることになる。
【００３２】
端末装置２１の動作モードを読み取りモードに切り替えている状態で、通信ユニット２２をＩＣタグ１４に近接させると、ＩＣタグ１４は、メモリ１５に記憶されたデータをアンテナ１７からの電波として通信ユニット２２に送信する。
【００３３】
通信ユニット２２は、ＩＣタグ１４からの電波を受信すると、この電波に含まれるデータを端末装置２１に出力する。端末装置２１では、通信ユニット２２からのデータを入力すると、データ内容を制御基板の種別ごとにモニタ２１ａ（図２参照）に表示する。
【００３４】
つまり、制御基板１のメモリ１５に、当該制御基板１の制御対象の機器の保守管理に関するデータ、制御基板１が設置される建物の保守管理に関するデータ、制御基板２のメモリ１５に記憶されていたデータ、および、制御基板３のメモリ１５に記憶されていたデータが記憶されていれば、複数の制御基板のうち、制御基板１のＩＣタグ１４に通信ユニット２２を近接させるだけで、各制御基板の制御対象の機器の保守管理に関するデータ、および、各制御基板が設置される建物の保守管理に関するデータを端末装置２１のモニタ２１ａに表示することができる。
【００３５】
以上説明したように、本発明の第１の実施形態にしたがったエレベータ伝送システムでは、必要な情報の読み出しに要する時間を大幅に短縮できる上に、作業員による複雑な操作を必要としないので、作業員は、エレベータの各機器の保守管理に関わる情報、および、当該機器が設けられる建物の保守管理に関する情報を効率よく把握することができる。
【００３６】
本発明の第１の実施形態にしたがったエレベータ伝送システムでは、制御基板１が制御基板２，３にデータの出力要求を行ない、これに応答して、制御基板２，３が制御基板１にデータを出力する構成としたが、これに限らず、複数の制御基板のうち予め定められた制御基板が、他の制御基板にデータの出力要求を行ない、これに応答して、当該他の制御基板が要求元の制御基板にデータを出力する構成であれば、例えば制御基板２が制御基板１，３にデータの出力要求を行なって、これに応答して、制御基板１，３がデータを制御基板２に出力する構成であってもよい。
【００３７】
（第２の実施形態）
次に、本発明の第２の実施形態について説明する。なお、本実施形態に係るエレベータ伝送システムの構成は、図１に示したものと基本的にほぼ同様であるので、説明は省略する。
【００３８】
図４は、本発明の第２の実施形態にしたがったエレベータ伝送システムの制御基板２の内部回路の構成例を示すブロック図である。このシステムの制御基板３の内部回路の構成は制御基板２の内部回路の構成（図４参照）と同じである。また、このシステムの制御基板１の内部回路の構成は、図２に示した構成と同じである。
【００３９】
図４に示すように、本発明の第２の実施形態にしたがったエレベータ伝送システムの制御基板２は、本発明の第１の実施形態にしたがったエレベータ伝送システムの制御基板１（図２参照）と比較して、通信制御スイッチ２０をさらに備える。通信制御スイッチ２０はＣＰＵ１３と接続される。
【００４０】
通信制御スイッチ２０が開放状態となっている場合の制御基板２の処理動作は、本発明の第１の実施形態にしたがったエレベータ伝送システムの制御基板２の処理動作と同じである。一方、通信制御スイッチ２０が短絡状態となっている場合には、制御基板２のＣＰＵ１３が、制御基板１からの、制御基板２のメモリ１５に記憶されているデータの出力要求を示す制御信号を制御基板２の伝送制御部１１および通信インタフェース１２を介して入力した場合でも、当該制御基板２のメモリ１５からのデータの読み出しは行なわない。よって、制御基板２のメモリ１５に記憶されたデータは制御基板１に出力されない。
【００４１】
以上説明したように、本発明の第２の実施形態にしたがったエレベータ伝送システムでは、制御基板２または制御基板３において、メモリ１５に記憶されたデータを制御基板１に出力する必要がない場合に、通信制御スイッチ２０を短絡状態にしておくことで、制御基板１からデータの出力要求がなされた場合でも、これを制御基板１に出力しない。よって、各制御基板のメモリ１５に記憶されたデータのうち、必要なデータのみが制御基板１に出力されるので、作業員による保守管理に必要な情報の把握にかかる効率を向上させることができる。
【００４２】
（第３の実施形態）
次に、本発明の第３の実施形態について説明する。なお、本実施形態に係るエレベータ伝送システムの構成は、図１に示したものと基本的にほぼ同様であるので、説明は省略する。また、本実施形態に係るエレベータ伝送システムの制御基板１，２，３の内部回路の構成は、図２に示したものと基本的にほぼ同様であるので、説明は省略する。
【００４３】
本発明の第１の実施形態にしたがったエレベータ伝送システムでは、電源投入時に、制御基板１が制御基板２，３に対してデータの出力要求を行ない、制御基板２，３は、制御基板１からの出力要求にしたがって、メモリ１５に記憶されたデータを制御基板１に出力したが、本発明の第３の実施形態にしたがったエレベータ伝送システムは、制御基板１，２，３のうち、通信ユニット２２を近接させた制御基板が他の制御基板に対してデータの出力要求を行ない、出力要求を受けた制御基板は、メモリ１５に記憶されたデータを要求元の制御基板に出力する。
【００４４】
図５は、本発明の第３の実施形態にしたがったエレベータ伝送システムの処理動作の一例を示すフローチャートである。  
具体的には、端末装置２１の動作モードが読み取りモードに設定されている場合には、通信ユニット２２は、各制御基板のメモリ１５に記憶されるデータの、通信ユニット２２への送信要求を示す制御信号を含む電波を送信している。
【００４５】
制御基板１，２，３に電源が投入された状態で、かつ、端末装置２１と接続される通信ユニット２２を、制御基板１，２，３のうち１つ、ここでは制御基板１のＩＣタグ１４に近接させた場合には、通信ユニット２２から送信された電波をアンテナ１７が受信する（ステップＳ１のＹＥＳ）。
【００４６】
ＲＦ回路１６は、アンテナ１７が受信した電波に含まれる制御信号をＣＰＵ１３に出力する。ＣＰＵ１３は、ＲＦ回路１６からの制御信号を入力すると、各制御基板のメモリ１５に記憶されるデータの出力要求を示す制御信号を伝送制御部１１に出力する。伝送制御部１１は、ＣＰＵ１３からの制御信号を入力すると、制御基板２，３のメモリ１５に記憶されるデータの出力要求を示す制御信号を、通信インタフェース１２および伝送路４を介して制御基板２，３に出力する（ステップＳ２）。この出力した制御信号は、制御基板１の識別アドレスを含む。
【００４７】
制御基板２による処理の説明に移る。制御基板２の伝送制御部１１は、制御基板１からの制御信号を通信インタフェース１２を介して入力すると、これをＣＰＵ１３に出力する。制御基板２のＣＰＵ１３は、伝送制御部１１からの制御信号を入力すると、メモリ１５に記憶されているデータを読み出して、これを伝送制御部１１に出力する。
【００４８】
制御基板２の伝送制御部１１は、ＣＰＵ１３からのデータを入力すると、これを、制御基板２の識別アドレスと関連付けて通信インタフェース１２および伝送路４を介して、前述のように入力した制御信号に含まれる識別アドレスに対応する制御基板、つまり、出力要求元である制御基板１に出力する。
【００４９】
制御基板３による処理について説明する。制御基板３では、制御基板１からの制御信号を入力した場合には、制御基板２が制御基板１からの制御信号を入力した場合と同様に、メモリ１５からデータを読み出して、これを制御基板３の識別アドレスと関連付けて制御基板１に出力する。
【００５０】
制御基板１による処理の説明に戻る。制御基板１の伝送制御部１１は、制御基板２からのデータを通信インタフェース１２を介して入力すると（ステップＳ３）、これらをＣＰＵ１３に出力する。また、制御基板１の伝送制御部１１は、制御基板３からのデータを入力すると、制御基板２からのデータを入力した場合と同様に、これをＣＰＵ１３に出力する。
【００５１】
ＣＰＵ１３は、制御基板２の識別アドレスが関連付けられたデータ、および、制御基板３の識別アドレスが関連付けられたデータをともに入力した場合に、伝送路４を介して接続される各制御基板のメモリ１５に記憶されるデータを全て入力したとみなし（ステップＳ４のＹＥＳ）、これら入力したデータを、当該データに含まれる識別アドレスごとに分類してＩＣタグ１４のメモリ１５に書き込む。
【００５２】
すると、ＩＣタグ１４は、メモリ１５に記憶されたデータをアンテナ１７からの電波として通信ユニット２２に送信する。通信ユニット２２は、ＩＣタグ１４からの電波を受信すると、この電波に含まれるデータを端末装置２１に出力する（ステップＳ５）。端末装置２１は、通信ユニット２２からのデータを入力すると、データ内容を制御基板の種別ごとにモニタ２１ａに表示する。
【００５３】
よって、本発明の第３の実施形態にしたがったエレベータ伝送システムでは、通信ユニット２２を、制御基板１，２，３のうちいずれかの制御基板に近接させた際に、この制御基板が他の制御基板に対してデータの出力要求を行ない、出力要求を受けた制御基板では、メモリ１５に記憶されたデータを要求元の制御基板に出力するので、作業員は、複数の制御基板のうち、通信ユニット２２を近接させるのに都合のよい制御基板、例えば点検作業を行なっている箇所に最も近い制御基板のＩＣタグ１４に通信ユニット２２を近接させるだけで、この制御基板に各制御基板のメモリ１５に記憶されるデータを入力させることができる。よって、作業員による保守管理に必要な情報の把握にかかる効率を向上させることができる。
【００５４】
本発明の第３の実施形態にしたがったエレベータ伝送システムでは、通信ユニット２２を近接させた制御基板が、他の全ての制御基板に対してデータの出力要求を行なう構成としたが、これに限らず、例えば、通信ユニット２２からの電波に、必要なデータを記憶する制御基板の識別アドレスを含ませ、この電波を受信した制御基板では電波に含まれる識別アドレスに対応する制御基板のみに対してデータの出力要求を示す制御信号を出力する構成としてもよい。
【００５５】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００５６】
【図１】本発明の第１の実施形態にしたがったエレベータ伝送システムの構成例を示すブロック図である。
【図２】本発明の第１の実施形態にしたがったエレベータ伝送システムの制御基板の内部回路の構成例を示すブロック図。
【図３】本発明の第１の実施形態にしたがったエレベータ伝送システムの制御基板のメモリに記憶される各種情報の構成の一例を表形式で示す図。
【図４】本発明の第２の実施形態にしたがったエレベータ伝送システムの制御基板の内部回路の構成例を示すブロック図。
【図５】本発明の第３の実施形態にしたがったエレベータ伝送システムの処理動作の一例を示すフローチャート。
【符号の説明】
【００５７】
１，２，３…制御基板、４…伝送路、１１…伝送制御部、１２…通信インタフェース、１３…ＣＰＵ、１４…ＩＣタグ、１５…メモリ、１６…ＲＦ回路、１７…アンテナ、１８…電源ユニット、１９…電源スイッチ、２０…通信制御スイッチ、２１…端末装置、２２…通信ユニット。
【図１】
2006256829.tif 000003
【図２】
2006256829.tif 000004
【図３】
2006256829.tif 000005
【図４】
2006256829.tif 000006
【図５】
2006256829.tif 000007